(57)【特許請求の範囲】
【請求項１】
解離剤として終濃度を２０ｍＭ以下とした過硫酸塩により金属シアノ錯体からシアンを遊離させた後に、該遊離シアンをシアン分解菌により浄化することを特徴とするシアン化合物の浄化方法。
【請求項２】
金属シアノ錯体とシアン分解菌を含む浄化処理の系に、解離剤もしくは解離剤を含む水を供給して前記シアン分解菌を活性化させることを特徴とする請求項１に記載のシアン化合物の浄化方法。
【請求項３】
シアン分解菌を導入して浄化を促進させることを特徴とする請求項１又は請求項２に記載のシアン化合物の浄化方法。
【請求項４】
前記解離剤の終濃度を５ｍＭ以上、好ましくは１０ｍＭ以上とすることを特徴とする請求項１〜３の何れか１項に記載のシアン化合物の浄化方法。
【請求項５】
前記シアン分解菌の増殖を促進させる化合物を導入して前記シアン分解菌の生育を制御しつつ浄化を行うことを特徴とする請求項１〜４の何れか１項に記載のシアン化合物の浄化方法。
【請求項６】
前記浄化処理の系のｐＨを中性領域に保って浄化を行うことを特徴とする請求項１〜５の何れか１項に記載のシアン化合物の浄化方法。
【請求項７】
前記浄化処理の系のｐＨを中性に保つための緩衝剤としてリン酸緩衝液を用いて浄化することを特徴とする請求項６に記載のシアン化合物の浄化方法。
【発明の詳細な説明】
【技術分野】
【０００１】
本発明は、シアン化合物の浄化方法に関する。
【背景技術】
【０００２】
従来、シアン化合物の浄化方法として、物理的処理法、化学的処理法、および生物学処理法（バイオレメディエーション）が存在する。
【０００３】
例えば、汚染地下水を対象とした浄化を行う場合、汚染地下水を揚水して凝集沈殿処理する物理的処理方法が多く用いられてきたが、汚染箇所にある帯水層の地下水に含まれるシアン化合物濃度が低くなると浄化効率が低下し、浄化期間が長期化してランニングコストが大きくなる問題があった。
【０００４】
このため、汚染地下水の揚水処理技術の上記問題から、汚染物質が存在する地中の帯水層中で汚染物質を直接分解する原位置分解処理方法が着目されるようになった。この方法として化学的分解法と生物的分解法の２つの方法が存在する。
【０００５】
化学的分解法は、例えば、鉄塩、生分解性キレート剤、及びペルオキソ二硫酸塩を土壌に投入して土壌中でＰＣＥ等の汚染物質を処理する方法が知られている（例えば、特許文献１参照）。
【０００６】
一方、生物的分解法は、遊離シアン（ＣＮ―）が様々な微生物により分解できる性質を利用した技術である（例えば、特許文献２参照）。
【先行技術文献】
【特許文献】
【０００７】
【特許文献１】特開２０１０−８２６００号公報
【特許文献２】特開２０１０−６４０１７号公報
【発明の概要】
【発明が解決しようとする課題】
【０００８】
しかしながら、上記の化学的分解法では、比較的短時間にシアン化合物を無毒化できるが、汚染物質に対して約130〜270倍のモル濃度のペルオキソ二硫酸塩を使用し、大量の酸化剤が用いられるので、地盤中の環境を劇的に変化させてしまうおそれがある。
【０００９】
また、多量の酸化剤を用いることにより土壌pHが低下する可能性が有り、猛毒のシアン化水素ガスの発生リスクが高まり、安全面において実際の汚染箇所への適用にも課題がある。
【００１０】
一方、生物的分解法の場合、微生物が分解しやすいシアンの形態は遊離シアンであり、金属シアノ錯体、特に鉄シアノ錯体を対象とした場合は、微生物による浄化速度が低く、浄化期間が長期化する課題があった。
【００１１】
本発明は上記課題に着目してなされたものであり、金属シアノ錯体のような難分解のシアノ化合物を、極力環境負荷をかけずに効率良く分解することができるシアン化合物の浄化方法の提供を目的とする。
【課題を解決するための手段】
【００１２】
本発明に係るシアン化合物の浄化方法は、解離剤として終濃度を２０ｍＭ以下とした過硫酸塩により金属シアノ錯体からシアンを遊離させた後に、該遊離シアンをシアン分解菌により浄化することを特徴とする。
【００１３】
ここで、金属シアノ錯体とシアン分解菌を含む浄化処理の系に、解離剤、もしくは解離剤を溶解させた水を供給して前記シアン分解菌を活性化させて前記土壌を浄化することとしてもよい。
【００１４】
さらに、シアン分解菌を導入してシアン化合物の浄化を促進させてもよい。
【００１５】
また、前記解離剤として過硫酸塩を含むものを用いてもよく、解離剤の終濃度を前記シアン分解菌が死滅しない濃度としてもよい。また、前記解離剤の終濃度を５ｍＭ以上、好ましくは１０ｍＭ以上としてもよい。
【００１６】
前記シアン分解菌の増殖を促進させる化合物を導入して前記シアン分解菌の生育を制御しつつ浄化を行ってもよいし、前記浄化処理の系のｐＨを中性領域に保って浄化を行うこととしてもよく、ｐＨを中性に保つための緩衝剤としてリン酸緩衝液を用いてもよい。
【００１７】
なお、「浄化処理の系」とは、解離剤により金属シアノ錯体からシアンを遊離し、遊離シアンをシアン分解菌により浄化処理する系の全てを意味し、本発明による浄化を実施可能な、例えばシアン化合物により汚染された対象土壌の帯水層内や、浄化槽等の容器の内部等も含む意味である。
【発明の効果】
【００１８】
（１）シアン分解菌はシアン化合物を資化する能力を有していることから、解離剤として終濃度を２０ｍＭ以下とした過硫酸塩により金属シアノ錯体から資化しやすい遊離シアンに変えることで、シアン分解菌が活性化され、シアンの浄化を促進させることができる。
【００１９】
その結果、物理的処理法（揚水処理法）と比較して、難分解性の金属シアノ錯体が存在する場合でも浄化期間を短縮し、ランニングコストを抑えることができる。
【００２０】
また、化学的処理（酸化分解法）と比較して、使用する薬剤が少なく、コストを抑えることができる。また、従来方法と比較して地盤中のｐＨを低下させないため、シアン化合物のガス化を抑えることができ、安全面でも有用である。
【００２１】
さらに、地下水中のシアノ分解菌を含む各種の微生物を死滅させないため、環境負荷が小さく、長期的に浄化効果を高めることができる。
（２）金属シアノ錯体とシアン分解菌を含む浄化処理の系に、解離剤、もしくは解離剤を溶解させた水を供給することとすれば、浄化処理の系に供給された解離剤により浄化処理の系中の金属シアノ錯体からシアンが遊離するので、浄化処理の系中に生息するシアン分解菌が遊離シアンを資化して無毒化（分解）するとともに、遊離シアンの資化により浄化処理の系中のシアン分解菌が増加し、遊離シアンの分解を促進させることができる。この結果、浄化処理の系のシアンの浄化効率が高まる。
（３）シアン分解菌を導入して土壌の浄化を促進させることとすれば、既存のシアン分解菌が少ない場合や遊離シアンの資化能力が低い菌種の割合が多い場合等であっても、シアン分解菌による遊離シアンの分解能力を補って浄化を促進させることができる。
（４）そもそも解離剤は、金属シアノ錯体からシアンを遊離させる程の酸化力を有しておりシアン分解菌に対して毒性を示すものであることから、供給する解離剤の終濃度を前記シアン分解菌が死滅しない濃度とすれば、シアン分解菌が供給された解離剤により死滅することを抑制ないし防止することができる。また、解離剤の終濃度を、５ｍＭ以上、好ましくは１０ｍＭ以上とすることで、全シアン濃度の減少傾向を大きくすることができる。
（５）前記解離剤として過硫酸塩を含むものとすれば、ヒドロキシラジカルに近い酸化力を有する硫酸ラジカルを発生させて金属シアノ錯体を分解できるとともに、シアン分解菌内で起こるロダニーズ酵素による下記化学反応における左辺の「Ｓ2Ｏ32-」の絶対量を増加させて下記反応を促進させることができる。この結果、遊離シアンの無毒化（分解）を早めることができる。
【００２２】
（化１）
Ｓ2Ｏ32-＋ＣＮ-→ＳＣＮ+＋ＳＯ32-（式１）
（６）前記シアン分解菌の増殖を促進する化合物を導入して、前記シアン分解菌の生育を制御しつつ浄化を行うことで、栄養素不足によりシアン分解菌が増殖できずに浄化能力が低下することがなく、シアン浄化能を維持しながら浄化を行うことができる。
（７）浄化処理の系のｐＨをリン酸緩衝液等のpH緩衝剤により中性領域に保って浄化を行うこととすれば、シアン分解菌の生育環境に適したｐＨ環境でシアンの分解処理が行われるので、ｐＨによりシアン分解効率が低下することを防止できる。さらに、シアン化合物のガス化を抑制できるため、作業安全性が高まる。
【００２３】
加えて、浄化処理の系のｐＨが６以上に上昇すると、下式のように鉄（鉄シアノ錯体の難溶性塩（ヘキサシアノ鉄(II)酸鉄(III)））の一部が水酸化物になるとともに、一部が錯イオンとなり再び溶解することから、解離剤と反応しやすい状態となり、反応（図１参照）が促進されるので有利となる。
【００２４】
（化２）
Ｆｅ4[Ｆｅ（ＣＮ）6]3＋１２ＯＨ-→３[Ｆｅ（ＣＮ）6]4-＋４Ｆｅ（ＯＨ）3（式２）
【図面の簡単な説明】
【００２５】
【図１】鉄シアノ錯体（フェリシアン）に過硫酸塩を共役させて遊離シアンと鉄イオン（III）とする解離処理と、解離処理により遊離したシアンがシアン分解菌により水、二酸化炭素及びアンモニアイオンに分解される一連の浄化を図示したものである。
【図２】過硫酸カリウム（ＫＰＳ：Kalium (Potassium)  Per  Sulfate）の添加濃度別のシアン分解菌の増殖曲線を示す図である。
【図３】リン酸緩衝液（３ｍＭ）の系における、過硫酸カリウムの添加濃度別の全シアン濃度の経時変化を示すグラフである。
【図４】リン酸緩衝液（３ｍＭ）の系における、過硫酸カリウムの添加濃度別の遊離シアン濃度の経時変化を示すグラフである。
【図５】５ｍＭ又は１０ｍＭの過硫酸カリウムと０〜３ｍＭのリン酸緩衝剤を含む混合溶液（２７日経過後）のｐＨを示すグラフである。
【図６】シアン化合物で汚染された帯水層を浄化する浄化処理システムの概要を示す図である。
【発明を実施するための形態】
【００２６】
以下、図１〜６を参照しながら本発明に係る実施形態のシアン化合物の浄化方法について説明する。
【００２７】
本発明に係るシアン化合物の浄化方法は、解離剤により金属シアノ錯体からシアンを遊離させた後に、該遊離シアンをシアン分解菌により浄化することを特徴とする。
【００２８】
これにより、浄化処理の系において、金属シアノ錯体からシアンが遊離し、シアン分解菌にとって資化しやすい状態となる。遊離シアンが増えることでシアン分解菌が活性化され、遊離シアンの浄化をさらに促進させることができる。その結果、難分解性の金属シアノ錯体が存在する浄化処理の系でも浄化期間を短縮し、ランニングコストを抑えることができる。また、浄化処理による環境負荷も軽減される。
＜解離剤＞
本発明に使用可能な解離剤は、金属シアノ錯体からシアンを遊離させることができる化合物や組成物等であり、バイオレメディエーションにおいて難分解性の鉄シアノ錯体の浄化速度を高めるものである。
【００２９】
解離剤としては、過硫酸カリウム、過硫酸ナトリウム、過硫酸アンンモニウム、過硫酸リチウムのような過硫酸塩が挙げられる。
【００３０】
過硫酸塩の場合、過硫酸イオン（Ｓ2Ｏ82―）から硫酸ラジカル（２ＳＯ4―*）が生成され、この硫酸ラジカルにより金属シアノ錯体が３価の鉄イオンと遊離シアンとに分解される。
【００３１】
反応処理の系を略閉鎖した空間（浄化槽等の容器の内部等）で水処理する系として処理を行う場合には、過硫酸イオンに対して紫外線を照射することにより硫酸ラジカル（ＳＯ4―*）を効率よく発生させることができるので、浄化処理の系内にＵＶ照射設備を設けて併用することとしてもよい。この場合、過硫酸塩から生じた硫酸ラジカルの寿命は極端に短いので、浄化処理の系にある水媒体に過硫酸塩が添加された後に直ちに攪拌することが望ましい。また、水処理を行う場合の水温は、硫酸ラジカルが自己分解しにくい温度条件に維持することが望ましい。
（解離剤の濃度）
解離剤は、金属シアノ錯体からシアンを遊離させる程の強い酸化力を有しており、シアン分解菌に対して毒性を示すことから、浄化処理の系の解離剤の濃度、つまり解離剤の終濃度をシアン分解菌が死滅しない範囲の濃度とすることが望ましい。具体的に、解離剤として過硫酸塩を用いる場合には、終濃度２０ｍＭ以下とすることが好ましい。
【００３２】
この濃度はシアン分解菌の菌種（薬剤耐性等の属性）や菌濃度、解離剤の種類（酸化力の高低）等に応じて異なることから、それらに応じて適した解離剤の濃度とする必要がある。
【００３３】
解離剤がシアン分解菌に毒性を示すため、シアン分解菌と解離剤は別々に浄化処理の系に導入することが望ましいが、同時に導入せざるを得ない場合には、導入溶液中でシアン分解菌が死滅しない濃度とすることが好ましい。
【００３４】
帯水層Ｔを浄化する場合、帯水層Ｔ内を別々の浄化処理の系とすることが困難であるため、導入された解離剤は導入箇所を中心として帯水層Ｔ内に拡散し、解離剤の濃度が高いと帯水層Ｔ内のシアン分解菌数が激減するおそれがある。この場合、解離剤の濃度を抑えるか、解離剤の影響がなくなった後にシアノ分解菌を供給することで解決できる。
＜キレート剤＞
シアノ分解菌の生存や増殖に影響を与えない範囲で浄化処理の系にキレート剤を添加して遊離シアンが金属イオンと再結合して金属シアノ錯体を再生成するのを抑制することとしてもよい。
【００３５】
この場合、環境負荷を与えない観点から、生物分解性のキレートを用いることが好ましい。
【００３６】
キレート安定度定数（生成定数）を参照すると、シアンと鉄（II）イオンとのキレート安定度定数（生成定数）は２４．０であり、シアンと鉄（III）イオンとのキレート安定度定数（生成定数）は３１．０であるので、これに近い又はこれより高いキレート安定度定数（生成定数）のキレート剤、例えばＴＴＨＡ（トリエチレンテトラミン六酢酸）等のキレート剤により鉄イオンをキレートして、浄化処理の系におけるフェロシアンやフェリシアンの再生成を抑制してもよい。
【００３７】
また、これとは別に生分解性のキレート剤とすれば、キレート剤の母体部分がシアノ分解菌に資化される対象であることから、生分解性のキレート剤が浄化処理の系に散在する金属イオンをキレートした状態のままシアノ分解菌に取り込まれる。その結果、菌体内に金属が取り込まれ、フェロシアンやフェリシアンが再生成されにくいものとなる。
【００３８】
さらに、シアノ分解菌の中には鉄が不足すると、鉄をキレートするシデロフォアを産生して鉄を取りこむ菌種も存在することから、このようなシアノ分解菌を鉄欠乏の培養液で培養した後に浄化処理の系へ投入して遊離させた鉄を菌体内に積極的に取り込ませるようにしてもよい。
＜金属シアノ錯体＞
金属シアノ錯体は、シアン化水素の金属塩と金属とが過剰のシアン化物イオン（ＣＮ―）と結合したもので、一般式Ａn［Ｍ（ＣＮ）x］yで表される。ここで、Ｍには銀（Ａｇ）、金（Ａｕ）、カドミウム（Ｃｄ）、コバルト（Ｃｏ）、銅（Ｃｕ）、鉄（Ｆｅ）、ニッケル（Ｎｉ）、亜鉛（Ｚｎ）などの金属が該当し、溶液中に溶解、あるいは懸濁状で存在する。
【００３９】
金属シアノ錯体は、毒性は弱いものの生物分解されにくく、環境中に長期間残存するという問題がある。
【００４０】
シアン化合物の漏出源の例としては、金属加工工場、めっき工場、染色工場、石炭乾留ガス製造工場の跡地等である。このように、シアン化合物の漏出した場所は幅広く存在する。
【００４１】
シアン化合物の漏出場所から漏洩したシアン化合物の多くが深い地中に潜り込む前に地中の金属イオン等と錯結合で結びついて金属シアノ錯体に変化し、その一部が帯水層Ｔまで辿り着いて地下水を汚染する。
【００４２】
地盤中では、シアン化合物の多くが鉄イオンと錯結合で結びついて、フェリシアン（ヘキサシアノ鉄（III）酸）、フェロシアン（ヘキサシアノ鉄（II）酸）などの鉄シアノ錯体となる。これらは特に微生物分解されにくい。
【００４３】
これらの鉄シアノ錯体の微生物分解が長期化する理由として、他の金属シアノ錯体と比較して解離定数の値が小さく（表１参照）、シアノ基と鉄原子が強固に配位結合しているためと考えられる。
【００４４】
【表１】
0005779115.tif 000002
解離定数の小さい鉄シアノ錯体は他の金属シアノ錯体と比較しても分解速度が小さくなる。
【００４５】
そのため、上述したような解離剤から生じた酸化力の高いラジカルにより金属シアノ錯体の配位結合を効率良く破壊して、後述のシアン分解菌により分解させやすいシアンを遊離させることが有効となる。また、シアンが解離しやすく、シアン分解菌によるシアン化合物（遊離シアン、その他のシアン化合物）の分解もしやすいｐＨ領域に浄化処理の系を維持するためにｐＨ緩衝剤を導入することが浄化処理を行う上で有利となる。
＜シアン分解菌＞
シアン分解菌とは、その資化作用（化学反応を含む）によりシアン化合物を無毒化（化学変化：分解、化学修飾等）する菌種を意味する。無毒化には、遊離シアンをヒトに対して無毒なチオシアン酸イオン（ＳＣＮ-）等の別の化合物に変えることが含まれる。
【００４６】
土壌の表層は空気に触れる部分が多く好気性細菌の割合が多いが、土壌の下層に向かうにつれて嫌気性細菌の割合が多くなる。その一方で、シアン化合物を無毒化する菌種としては、好気性の細菌株の方が多く知られている。
【００４７】
シアン化合物の無毒化が可能な好気性の細菌種としては、例えば、Acinetobactor sp．、Alcaligenes xylosoxidan、Arthrobacter crystallopoietes、Azotobacter vinelandii、Bacillus pumius、Escherichia coli、Fusarium sp、Nocardioides fulvus、Pseudomonas fluorescens、Pseudomonas putida、Pseudomonas stutzeri、Ralstonia eutropha、Starkey novelia、Thiobacillus thioparus 等が報告されている。
【００４８】
シアン化合物の無毒化が可能な嫌気性の菌種としては、C. violaceum（通性嫌気性細菌）が挙げられる。
【００４９】
ここで、通性嫌性細菌を用いる場合、酸素がある場合には酸素により呼吸を行い、酸素がないときは発酵でエネルギーを生成することから、土壌下層の酸素の少ない汚染箇所でも生存でき、その菌の導入後に酸素のスパージングにより、生息している菌の菌数の増減を制御しやすいという利点がある。
（遊離シアンの分解経路）
生じた遊離シアンは、汚染サイトの浄化処理の系に生息する又は導入した各種のシアン分解菌により分解される。遊離シアンを分解する経路は、いずれの分解経路でも多くの場合には、上述したような好気性細菌が浄化に関与する。これは、下記式中に示すロダナーゼ酵素を産出する微生物の多くは好気性細菌であることによる。
１）酸化的完全分解
【００５０】
（化３）
２ＨＣＮ＋２Ｈ2Ｏ＋Ｏ2→２ＮＨ3＋２ＣＯ2＋２Ｈ2Ｏ（式３）
２）アルデヒドを利用した無害化
【００５１】
（化４）
６ＣＮ-＋６ＣＨ2Ｏ＋１３．５Ｏ2→６ＣＯ2＋３Ｎ2＋３Ｈ2Ｏ＋６ＨＣＯ3-（式４）
３）ロダナーゼ酵素によるチオ硫酸との無毒化
【００５２】
（化５）
Ｓ2О32-＋ＣＮ-→ＳＣＮ-＋ＳＯ32-（式５）
フェリシアンの分解により生じる遊離シアンの分解に好気性のシアン分解菌を使用する場合には、微生物を活性化するためにスパージング等で浄化処理の系に酸素供給をすることで反応系中のシアン分解菌を活性化させることが望ましい。
【００５３】
シアン分解菌の培養や生育促進には、基本的にシアン分解菌を好適に培養可能な公知の培養条件や栄養素を用いることができる。ここで、上述したように、鉄欠乏状態の培地で培養する条件とすることも可能である。
【００５４】
シアン分解菌の増殖を促進する化合物としての上記栄養素は、浄化する汚染サイトによって異なるが、無機塩としては、リン、窒素、チオ硫酸塩（特許4572135号公報参照）、有機物としては、有機酸、アルコール・アルデヒド（特開2010-64017号公報参照）などを用いることができる。
＜帯水層への導入＞
以下、金属シアノ錯体を含む処理対象の土壌に、後述する水や解離剤等を供給し、前記土壌中に生息する又は導入したシアン分解菌を活性化させて前記土壌を浄化する浄化処理システムを説明する。
【００５５】
図６に浄化処理システムの一例を示す。
＜浄化処理システム＞
浄化処理システム１は、解離剤、ｐＨ調節剤、シアノ分解菌の栄養素、シアン分解菌をそれぞれ単独もしくは複数同時に液体と混合して帯水層Ｔに供給する液体供給手段10と、シアン分解菌の生育に必要な空気を帯水層Ｔに供給する気体供給手段２０と、帯水層Ｔの底の不透水層まで貫通するように縦方向に地中に埋設され、不透水層とともに汚染源Ｇを囲う止水壁５０と、地下水を汲み上げて水処理を行う水処理手段４０と、帯水層Ｔに供給した空気を集めて回収する気体回収浄化手段３０と、等を有している。
＜液体供給手段＞
液体供給手段１０は、解離剤、シアノ分解菌の栄養素、ｐＨ緩衝剤、及びシアノ分解菌等を帯水層Ｔに供給するためのもので、図６に示すように、地盤ＧＬ中に所定間隔で３箇所配設されたスパージング井戸１Ａ〜１Ｃと、スパージング井戸１Ａ〜１Ｃと送水管３１を介して接続された液体貯留槽３３と、液体貯留槽３３と管Ｋ〜Ｎを介して接続された貯留槽Ａ，I，Ｕ，Ｅと、送水管３１や管Ｋ〜Ｎに設けられた送水ポンプ３２、バルブ３４及び水量計３５と、ｐＨメータ（図示省略）等とを有している。
【００５６】
なお、貯留槽Ａは解離剤、貯留槽IはｐＨ緩衝材、貯留槽Ｕはシアノ分解菌の栄養素、貯留槽Ｅは培養したシアノ分解菌をそれぞれ貯留している。
＜スパージング井戸＞
スパージング井戸１Ａ〜１Ｃには、その下端付近に開口部を有した管が使用されており、当該開口部には土砂により塞がれることがないように、通気・通水が可能なスクリーン１１が配設されている。
【００５７】
スパージング井戸１Ａ〜１Ｃの下端は、汚染地下水の水面ＷＬ，ＷＬ’より深い位置に配置されるように、不透水層上面ＲＬまで達している。なお、スパージング井戸１Ａ〜１Ｃの各開口部の深度は、汚染地下水への気体ＡRと液体Ｗの供給が確実にできる深さ位置であれば上記の位置に限定されるものではない。
【００５８】
例えば、図６に示す状態で汚染源Ｇの下部が、ある程度浄化されて汚染源Ｇが減少して上部のみとなった場合、この汚染源Ｇの領域や形状に合わせてスパージング井戸１Ａ〜１Ｃの各開口部の位置を変更し浄化効率を高めることも考えられる。スパージングされた空気の上昇力や押圧力により、汚染源Ｇの領域をより小さい領域に集中させるように、スパージング井戸１Ａ〜１Ｃの各開口部の位置を変更して空気のスパージングを行なってもよい。
【００５９】
また、スパージング井戸１Ａ〜１Ｃに用いる管やスクリーン１１が金属製（特に鉄を含む金属）の場合、金属イオン（特に鉄イオン）の帯水層Ｔへの溶出を防止するために樹脂製の管やスクリーンを用いてもよい。これにより、浄化処理の系において、フェロシアン等の金属錯イオンの再生成を極力防止することができる。
＜液体貯留槽＞
液体貯留槽３３は、帯水層Ｔに注入する液Ｗを調製するための槽であり、各貯留槽Ａ，I，Ｕ，Ｅからそれぞれ独立して解離剤等の貯留液を液体貯留槽３３に送出されてきた解離剤、シアノ分解菌の栄養素、ｐＨ緩衝剤、及びシアノ分解菌等を一時的に貯留する。
【００６０】
そして、液体貯留槽３３は、水処理装置４２から液体貯留槽３３に循環してきた処理水に対して各貯留槽Ａ，I，Ｕ，Ｅに貯留された各物質を混流させて液体Ｗを調製する。
【００６１】
なお、シアノ分解菌の貯留する貯留槽Ｅについてはシアノ分解菌の培養装置となっており、培養に関する各種機能（ｐＨ調整手段、回転翼、バブリング、給水等）を有している（図示省略）。また、この貯留槽Ｅは、培養したシアノ分解菌の菌体を保管する用途にも用いられる。
【００６２】
液体貯留槽３３内で混合した液体Ｗは、送水ポンプ３２、水量計３５及びバルブ３４により、スパージング井戸１Ａ〜１Ｃのスクリーン１１から、帯水層Ｔへ圧入供給される。
【００６３】
自動制御により、シアンの遊離や分解がしやすいｐＨ領域、好ましくはｐＨが６以上となるように、ｐＨ緩衝剤等を投入してもよい。
＜気体供給手段＞
気体供給手段２０は、酸素を含み、且つ、シアノ分解菌に悪影響を与えない気体ＡＲを帯水層Ｔのシアノ分解菌に供給するものであり、この気体ＡRを圧縮するコンプレッサ２２と、上記スパージング井戸１Ａ〜１Ｃと、コンプレッサ２２とスパージング井戸１Ａ〜１Ｃを接続する送気管２１と、送気管２１に設けられたバルブ２３、流量計２４及び圧力計２５等を有している。
【００６４】
上記期待のスパージングは、例えば、コンプレッサ２２等の加圧力を利用して帯水層Ｔの中に加圧した気体ＡＲ注入することによって行うことができる。酸素を含む上記気体ＡＲは、空気であっても良いし、地下水の溶存酸素（ＤＯ）を上昇させるために、純酸素を含む気体ＡRであっても良い。
【００６５】
図６に示すものでは気体ＡＲとして空気を用いている。コンプレッサ２２により圧縮された気体ＡＲを、流量計２４、圧力計２５により確認しながらバルブ２３により調節して供給する。
【００６６】
送気管２１は、液体供給手段１０Ａの送水管３１に連通接続されており、液体供給手段１０Ａと気体供給手段２０とにより、液体Ｗと気体ＡＲとを同時に帯水層Ｔに供給することが可能となっている。
＜止水壁＞
汚染源Ｇの領域を囲うように不透水層の上面ＲＬに至るまで止水壁５０が地盤に埋設されており、これにより、領域の地下水位ＷＬが地下水位ＷＬ’まで上昇し、汚染源Ｇを地下水位ＷＬ’よりも低い位置に配置させることが可能となる。
【００６７】
つまり、止水壁５０で汚染源Ｇを囲うことで、水分が存在しない地盤中の汚染源Ｇ部分に水分を行き渡らせて水系の浄化処理の形成を可能とするともに、この汚染源Ｇを包含した帯水層Ｔの一部を他の帯水層Ｔ部分から隔離し、一つの浄化処理の系を形成することができる。
【００６８】
同時に、シアン化合物の浄化処理の際に地下水流の影響を排除することができるとともに、汚染源Ｇからの汚染物質の系外への流出を防止することができる。なお、図６において手前側と奧側の止水壁５０については図示を省略している。
【００６９】
止水壁５０は、浄化処理の系への金属イオンの溶解を防止するために、上述の金属イオン溶出防止コートを施してもよい。
＜水処理手段＞
水処理手段４０は、汚染地下水を揚水して水処理（シアン化合物の浄化を含む汚染物質の浄化処理による水質改善）を行うものであり、地下水を揚水するために帯水層Ｔの任意の地点に吸引口が位置するように配置された揚水井戸４０と、揚水井戸４０の下流端に接続された吸引用のポンプ４３及び送水管４１と、送水管４１の下流端に接続された水処理装置４２と、を有している。
【００７０】
水処理装置４２は、その装置内において、汚染地下水中の汚染物質と濁質を浄化できるように構成されており、例えばシアン化合物であれば、凝集沈殿槽、中和槽、濾過槽などを組み合わせて処理する。
【００７１】
水処理手段４０による水処理を行うことで、上述のように液体貯留槽３３の貯留槽Ａ，I，Ｕ，Ｅから供給される物質の溶媒として用いることができる。また、水処理装置４２は液体供給手段１０Ａの送水管３１に接続されており、図６に示すように水処理手段４０を介した一方向の循環がなされている。
＜気体回収浄化手段＞
気体回収浄化手段３０は、上記コンプレッサ２２の気体ＡＲの圧縮と同時に既に地中に供給した気体ＡRを吸引回収するための減圧をする真空装置６２と、地盤ＧＬの表層に形成した掘削穴１２と、この掘削穴１２に砕石を敷き詰めて形成した砕石層１３と、砕石層１３に設けられた排気管６１、不図示のシアンガス等の気体浄化装置６３等を有している。
【００７２】
帯水層Ｔに供給された気体は、浮力により帯水層Ｔ内を上昇していくが、この気体を回収しないと地盤内の圧力が上昇して地上面が盤膨れを起こす可能性がある。そのため、砕石層１３よりこの気体を受け止めるとともに、砕石層１３に設けた排気管６１から気体を回収する。そのため、気体Ａについても一方向の循環がなされる。
【００７３】
なお、回収する空気中にはシアン化水素等の有毒なガスが含まれる可能性が完全には否定できないため、大気放出を行う気体は活性炭処理塔などの浄化装置を通過させるなどの対策を行うと共に、定期的に気体中のシアン水素ガス濃度を測定することにより安全を確認する。
【００７４】
砕石層１３には、浄化処理の区画を網羅するように通気孔が形成された排気管が脈状に設けられており、この排気管は地上に設置された真空装置に接続されて、その吸引力によりガスを収集可能となっている。
＜シアン浄化処理＞
浄化処理システム１の設置から撤去までは、汚染源Ｇの位置・領域を特定、汚染源Ｇのシアン化合物の濃度の計測、浄化区画の設定、スパージング井戸１Ａ〜１Ｃの設置を含む上記各手段の設置、気体ＡＲと液体Ｗの連続又は間欠投入によるシアン化合物の期間継続的な浄化処理とシアン化合物等の各種モニタリング、そして、シアン浄化処理の終了および上記各手段の撤去により行われる。
【００７５】
浄化処理システム１のシアン化合物の浄化処理の一例としては、帯水層Ｔに解離剤、pH緩衝剤、シアノ分解菌、その栄養素および気体ＡＲをスパージングにより同時供給する工程、同時供給した後に浄化処理の系のｐＨをモニタリングしつつ上記所定のｐＨに維持する工程、同時供給の後に浄化処理の系のシアン分解菌の濃度をモニタリングしつつシアン分解に有効な菌濃度に維持する工程、により行うことができる。
【００７６】
各工程のｐＨ維持やシアン分解菌の菌濃度の維持等については既に上で述べた通りであるので、その説明を省略する。
【実施例】
【００７７】
以下、シアン化合物の浄化方法の各実施例について説明する。
＜過硫酸塩の濃度による地下水中の微生物の増殖試験（図２参照）＞
シアノ分解菌の増殖が過硫酸塩なしの対照区に対して、どの程度影響が出るかを確認することを目的として試験を行なった。
[実施例１]
石炭ガス製造工場跡地から採取したシアン汚染地下水（鉄シアノ錯体の比率が９５％以上）に、ペプトン、Nutrient Broth、酵母エキスをそれぞれ１g/Lの濃度で添加した。更に、過硫酸カリウムを添加（終濃度１ｍＭ）した後に、３０℃で振盪培養を行い、経時的に濁度（つまり菌濃度）の計測を行なった。
[実施例２〜６]
実施例２〜６では、添加する過硫酸カリウムの終濃度を３ｍＭ（実施例２）、５ｍＭ（実施例３）、１０ｍＭ（実施例４）、２０ｍＭ（実施例５）及び４０ｍＭ（実施例６）とした以外は、実施例１と同様に培養や濁度の計測等を行なった。
[比較例１]
比較例１では、添加する過硫酸カリウムを無添加（０ｍＭ）とした以外は、実施例１と同様に培養や濁度の計測等を行なった。
（結果と考察）
この結果、図２に示すように、１０ｍＭ以下の過硫酸カリウム（実施例１〜４）では、シアノ分解菌の増殖が観測されたが、２０ｍＭの過硫酸カリウム（実施例５）では、ほとんど増殖ができなくなった。さらに、４０ｍＭの過硫酸カリウム（実施例６）では、殆ど増殖を示さなくなった。
【００７８】
１０ｍＭの過硫酸カリウム（実施例４）で、既にシアノ分解菌の増殖速度が低下し始めていることから、１０〜２０ｍＭ（実施例４〜６）の間で過硫酸カリウムの濃度に比例してシアン分解菌の増殖速度が低下していることが分かる。
【００７９】
過硫酸カリウムの濃度が２０ｍＭのときにシアン分解菌が増殖阻害を受けているので、解離剤として過硫酸カリウムを用いる場合は、終濃度を２０ｍＭ未満とするのが好ましいといえる。
＜実施汚染地下水を用いたシアン化合物の分解試験（図３参照）＞
次に、実施汚染地下水に過硫酸カリウムを加えてシアン化合物の分解試験を行なった。過硫酸カリウムの濃度別に金属シアノ錯体からのシアンの遊離の程度を調べるとともに、過硫酸カリウムの濃度により変わるリン酸緩衝剤のｐＨ緩衝作用の上記分解への影響を調べた。下記表２に各実施例および比較例のリン酸緩衝液と過硫酸カリウムの濃度を示す。
【００８０】
[実施例７]
過硫酸カリウムとｐＨ緩衝剤（リン酸緩衝液、ｐＨ６．５、ＮａＨ2ＰＯ4：Ｎａ2ＨＰＯ4・１２Ｈ2Ｏ＝６８．５：３１．５）を地下水に加えた場合のシアン化合物の分解傾向について検討した。
【００８１】
滅菌済みの１２０ｍＬ容のガラスバイアル瓶に、実施例１で用いた実汚染地下水を最終容量の５０ｍＬ未満の所定量を加え、さらに全シアン濃度が終濃度で約１．６ｍｇ/Ｌとなるようにフェロシアン化カリウムを添加した。その後、リン酸緩衝液の終濃度が３ｍＭ、過硫酸カリウムの終濃度が１０ｍＭになるようにそれぞれの試薬を添加した後、実汚染地下水を加えて５０ｍＬとした。その後、ガラスバイアル瓶を密栓し、これを２０℃の恒温室内で静置培養を行なった。
【００８２】
培養開始から０日目、３日目、７日目、１８日目および２７日目の浄化処理の系の全シアン濃度と全遊離シアン濃度をそれぞれ計測し、さらに２７日後のｐＨについても計測した。これらの結果を図３〜図５に示す。
[比較例２、実施例８，９]
さらに、過硫酸カリウムの濃度を、５ｍＭ（実施例８）、３ｍＭ（実施例９）、０ｍＭ（比較例２）とした以外は、それぞれ実施例７と同様に試験を行なった。これらの結果を図３〜図５（実施例９、比較例２は図５で不図示）に示す。
【００８３】
さらに、リン酸緩衝液の濃度別のｐＨ緩衝作用の影響（浄化処理系のpＨへの影響）を調べるために以下の各例を行なった。
[比較例３、実施例１０〜１２]
リン酸緩衝液の濃度を１．０ｍＭに変更し、さらに過硫酸カリウムの濃度をそれぞれ１０ｍＭ（実施例１０）、５ｍＭ（実施例１１）、３ｍＭ（実施例１２）および０ｍＭ（比較例３）とした以外は実施例７と同様に試験を行なった。この結果のうち、培養開始から２７日後の実施例１０，実施例１１のみを図示する（図５参照）。
[比較例４、実施例１３〜１５]
リン酸緩衝液の濃度を０．５ｍＭに変更し、さらに過硫酸カリウムの濃度をそれぞれ１０ｍＭ（実施例１３）、５ｍＭ（実施例１４）、３ｍＭ（実施例１５）および０ｍＭ（比較例４）とした以外は実施例７と同様に試験を行なった。この結果のうち、培養開始から２７日後の実施例１３，実施例１４のみを図示する（図５参照）。
[比較例５、実施例１６〜１８]
リン酸緩衝液の濃度を０．３ｍＭに変更し、さらに過硫酸カリウムの濃度をそれぞれ１０ｍＭ（実施例１６）、５ｍＭ（実施例１７）、３ｍＭ（実施例１８）および０ｍＭ（比較例５）とした以外は実施例７と同様に試験を行なった。この結果のうち、培養開始から２７日後の実施例１６，実施例１７のみを図示する（図５参照）。
[比較例６、実施例１９〜２１]
リン酸緩衝液の濃度を０ｍＭに変更し、さらに過硫酸カリウムの濃度をそれぞれ１０ｍＭ（実施例１９）、５ｍＭ（実施例２０）、３ｍＭ（実施例２１）および０ｍＭ（比較例６）とした以外は実施例７と同様に試験を行なった。この結果のうち、培養開始から２７日後の実施例１９，実施例２０のみを図示する（図５参照）。
【００８４】
【表２】
0005779115.tif 000003
（結果と考察）
（全シアン濃度の推移（図３参照））
この結果、全シアン濃度の推移は、過硫酸カリウムを３ｍＭ添加した条件（実施例９）では、過硫酸カリウムを添加しない条件（比較例２）とほぼ同様であった。
【００８５】
一方、過硫酸カリウムの添加量が５ｍＭ、１０ｍＭと増加することにより（実施例８，実施例７）、全シアン濃度の減少傾向が大きくなった。
【００８６】
この結果から、過硫酸カリウムの添加濃度については、５ｍＭ以上が好ましく、１０ｍＭ以上がより好ましいことになる。
（全遊離シアン濃度の推移（図４参照））
図４に示すように、５ｍＭ、１０ｍＭの過硫酸カリウムを添加した条件（実施例８，実施例７）では、培養開始後の数日間に遊離シアンの濃度が急に上昇し、その後、培養が進むと共に低下していく傾向が見られた。
【００８７】
これは、鉄シアノ錯体（フェロシアン）からシアンが遊離したことにより、一時的に遊離シアン濃度が上昇し、その後、培養の経過とともにシアン分解菌による遊離シアンの分解が促進され、遊離シアン濃度が低下したことによると考えられる。
【００８８】
図３を参照すると全シアン濃度が培養開始後約１０日から急に低下していることから、図４に示すように、培養開始から１０日までの遊離シアン濃度の上昇を受けて培養開始１０日以降に実汚染地下水中のシアン分解菌による遊離シアンの資化が特に進んだと考えられる。
（ｐＨの推移（図５参照））
図５に、５ｍＭの過硫酸カリウムを添加した条件（実施例８、１１、１４、１７及び２０）と、１０ｍＭの過硫酸カリウムを添加した条件（実施例７、１０、１３、１６、１９及び２１）について、リン酸緩衝液濃度別の培養終了後（２７日）の培養液のｐＨを示す。
【００８９】
この結果、１０ｍＭの過硫酸カリウムを添加した条件の下で、リン酸緩衝液を用いていない条件（実施例１９）の培養液がｐＨ４まで低下したが、リン酸緩衝液の量に応じて培養液のｐＨが上昇し（実施例１６、１３及び１０）、終濃度３ｍＭのリン酸緩衝液を添加した培養液（実施例７）のｐＨは約６．５となり、シアン分解菌が生育しやすい略中性域となることが確認できた。
【００９０】
一方、５ｍＭの過硫酸カリウムを添加した条件では、リン酸緩衝液を添加の有無に拘わらず、いずれも培養液のｐＨが略６．５に維持された。
【００９１】
これらの結果から、１０ｍＭ以上の過硫酸塩を添加する条件下では、リン酸緩衝液等のｐＨ緩衝剤を併用して浄化処理の系のｐＨをシアン分解菌の生育に好適な中性ｐＨ領域に調節することが好ましいといえる。
【００９２】
以上、本発明のシアン化合物の浄化処理方法を実施の形態および各実施例と比較例に基づき説明してきたが、具体的な構成については、これらに限られるものではなく、特許請求の範囲の各請求項に係る発明の要旨を逸脱しない限り、設計の変更や追加等は許容される。
【符号の説明】
【００９３】
１      浄化処理システム
１Ａ-１Ｃ       スパージング井戸
１０    液体供給手段
１１    スクリーン
１２    掘削穴
１３    砕石層
２０    気体供給手段
２１    送気管
２２    コンプレッサ
２３    バルブ
２４    流量計
２５    圧力計
３０    気体回収浄化手段
３１    送水管
３２    送水ポンプ
３３    液体貯留槽
３４    バルブ
３５    水量計
４０    水処理手段
４１    送水管
４２    水処理装置
４３    ポンプ
４４    揚水井戸
５０    止水壁
６１    排気管
６２    真空装置
６３    浄化装置
ＡＲ    気体
貯留槽Ａ〜Ｅ
Ｗ       液体
ＲＬ    不透水層の上面
Ｔ      帯水層
ＷＬ    水面
【図１】
0005779115.tif 000004
【図２】
0005779115.tif 000005
【図３】
0005779115.tif 000006
【図４】
0005779115.tif 000007
【図５】
0005779115.tif 000008
【図６】
0005779115.tif 000009